(57)【要約】【課題】  現場において取付け調整が極めて簡単に行うことができる遮煙部材を備えた扉装置を提供することを目的とする。【解決手段】1.扉の上方に支持部材を介して遮煙部材が設けられた装置において、前記支持部材には複数のタップ穴を有し、該タップ穴を通して前記支持部材が前記扉に設ける。2.扉の上方に支持部材を介して遮煙部材が設けられ、三方枠には当て板を備え、該遮煙部材と該当て板とが対面するように構成された装置において、前記扉には該遮煙部材と該当て板との接合状態を確認しうる穴を設ける。3.扉の上方に支持部材を介して遮煙部材が設けられ、三方枠には当て板を備え、該遮煙部材と該当て板とが対面するように構成された装置において、前記扉には該遮煙部材と該当て板との接合状態を確認しうる穴を設け、前記当て板を前記遮煙部材の方向に移動自在に設ける。ものである。【選択図】        図１
2005105578.tif 000002
【特許請求の範囲】
【請求項１】
扉の上方に支持部材を介して遮煙部材が設けられた装置において、
前記支持部材には複数のタップ穴を有し、該タップ穴を通して前記支持部材が前記扉の乗場に設けられていることを特徴とする遮煙部材を備えた扉装置。
【請求項２】
扉の上方に支持部材を介して遮煙部材が設けられ、三方枠には当て板を備え、該遮煙部材と該当て板とが対面するように構成された装置において、
前記扉には該遮煙部材と該当て板との接合状態を確認しうる穴を設けたことを特徴とする遮煙部材を備えた扉装置。
【請求項３】
扉の上方に支持部材を介して遮煙部材が設けられ、三方枠には当て板を備え、該遮煙部材と該当て板とが対面するように構成された装置において、
前記扉には該遮煙部材と該当て板との接合状態を確認しうる穴を設け、前記当て板を前記遮煙部材の方向に移動自在に設けたことを特徴とする遮煙部材を備えた扉装置。
【請求項４】
扉の上方に支持部材を介して遮煙部材が設けられ、三方枠には当て板を備え、該遮煙部材と該当て板とが対面するように構成された装置において、
前記扉には該遮煙部材と該当て板との接合状態を確認しうる穴と、該穴の開閉カバーとを設けたことを特徴とする遮煙部材を備えた扉装置。
【請求項５】
扉の上方に支持部材を介して遮煙部材が設けられ、三方枠には当て板を備え、該遮煙部材と該当て板とが対面するように構成された装置において、
前記扉には該遮煙部材と該当て板との接合状態を確認しうる穴とカバーを備え、前記穴とカバーは、少なくとも１つ以上設けられ、前記穴より該遮煙部材と該当て板の接合状態を調整することができることを特徴とする遮煙部材を備えた扉装置。
【請求項６】
扉の上方に支持部材を介して遮煙部材が設けられ、三方枠には当て板を備え、該遮煙部材と該当て板とが対面するように構成された装置において、
前記支持部材には複数のタップ穴を有し、該タップ穴を通して前記支持部材が前記扉の乗場に設けられ、前記扉には該遮煙部材と該当て板との接合状態を確認しうる穴とカバーを備え、該カバーは該タップ穴を介して設けられていることを特徴とする遮煙部材を備えた扉装置。
【発明の詳細な説明】
【技術分野】
【０００１】
本発明は、遮煙機能を有する扉において、現場での取付け調整が簡単に行える扉装置に関するものである。
【背景技術】
【０００２】
特に、建物内に設置されるエレベータ乗場出入口の扉には、一般に引き戸が用いられ、円滑な開閉動作のために出入口三方枠、敷居、扉相互の間には隙間が設けられている。しかし、万一火災が発生した場合、この隙間から煙が出入することになり、建物内にいる人が煙にまかれてしまう危険があった。
【０００３】
このため最近、出願人は図６及び図７に示す遮煙部材を備えた扉装置を提案している。（例えば、特許文献１参照）
【特許文献１】特願２００２−１７３３０２即ち、扉１０の上方では支持部材２を介して遮煙部材１を取付け、三方枠４側には当て板３を設けて、この遮煙部材１と当て板３との密着により隙間を塞いで、煙の侵入を防ごうとするものである。
【発明の開示】
【発明が解決しようとする課題】
【０００４】
ところで、このような遮煙部材１の取付け調整については、現場で行われることになり、その際の調整の良し悪しが遮煙性能に大きく影響を与え、ひいては製品の品質を左右することになる極めて重要な要素であるにもかかわらず、従来は往々にして無頓着に考えられていた。又、経年変化を起こす遮煙部材１の交換作業に対する考慮も欠けていた。
【課題を解決するための手段】
【０００５】
本発明は、
1.扉の上方に支持部材を介して遮煙部材が設けられた装置において、
前記支持部材には複数のタップ穴を有し、該タップ穴を通して前記支持部材が前記扉に設けられる。
2.扉の上方に支持部材を介して遮煙部材が設けられ、三方枠には当て板を備え、該遮煙部材と該当て板とが対面するように構成された装置において、
前記扉には該遮煙部材と該当て板との接合状態を確認しうる穴を設ける。
3.扉の上方に支持部材を介して遮煙部材が設けられ、三方枠には当て板を備え、該遮煙部材と該当て板とが対面するように構成された装置において、
前記扉には該遮煙部材と該当て板との接合状態を確認しうる穴を設け、前記当て板を前記遮煙部材の方向に移動自在に設けたことを特徴とする遮煙部材を備えた扉装置。
4.扉の上方に支持部材を介して遮煙部材が設けられ、三方枠には当て板を備え、該遮煙部材と該当て板とが対面するように構成された装置において、
前記扉には該遮煙部材と該当て板との接合状態を確認しうる穴と、該穴の開閉カバーとを設ける。
5.扉の上方に支持部材を介して遮煙部材が設けられ、三方枠には当て板を備え、該遮煙部材と該当て板とが対面するように構成された装置において、
前記扉には該遮煙部材と該当て板との接合状態を確認しうる穴とカバーを備え、前記穴とカバーは、少なくとも１つ以上設けられ、前記穴より該遮煙部材と該当て板の接合状態を調整する。
6.扉の上方に支持部材を介して遮煙部材が設けられ、三方枠には当て板を備え、該遮煙部材と該当て板とが対面するように構成された装置において、
前記支持部材には複数のタップ穴を有し、該タップ穴を通して前記支持部材が前記扉に設けられ、前記扉には該遮煙部材と該当て板との接合状態を確認しうる穴とカバーとを備え、該カバーは該タップ穴を介して設ける。
ものである。
【発明の効果】
【０００６】
本発明は、タップ穴のビスを外すだけで乗場扉を吊り下げた状態のまま支持部材を簡単に外せるため、遮煙部材の交換が極めて簡単にでき、また点検穴の存在により、戸閉状態での遮煙部材と当て板との接合・密着状態を確認しながら当て板の取付け調整が行え、遮煙性能を十分高めることができる。さらに、この点検穴にはカバーが付いており、このカバーも支持部材を取り付ける部品を共用して行えるため、部品点数の削減と省スペースの実現を図ることができる。又、カバーの開閉は取付ビスを緩めるだけで可能であり、定期点検時の遮煙性能の確認作業についても、短時間に簡単に行うことができる。
【発明を実施するための最良の形態】
【０００７】
プラスドライバー１本あれば、支持部材、遮煙部材、当て板などの取付け・調整・点検において、作業工数をかけずに乗場扉の裏面側から迅速に行うことができる。
【実施例１】
【０００８】
以下、本発明の一実施例について、図面を用いて説明する。図１は本発明に係る乗場扉の部分正面図、図２は図１のＡ−Ａ線矢視図、図３は図１のＰ部拡大図、図４は図２のＢ−Ｂ線矢視図、図５は本発明に係る部材の取付状態を示す斜視図である。
【０００９】
図中、図６及び図７と同一符号のものは同一のものを示すが、２０は本発明に係る遮煙部材１を収納する、例えばアルミシェープからなる支持部材で、複数箇所にタップ穴２０ａが切られており、扉１０の裏面から切欠き１０ａを通じてビス２３により扉１０の表面側に取付けられる。２１は扉１０に設けられた点検用の穴で、この穴２１を通じて当て板３と遮煙部材１との密着状態を確認できるようになっている。２２は穴２１を覆うカバーで、ビス２３によりタップ穴２０ａに取付けられ、適宜このカバー２２をスライドさせて、穴２１の開閉を行えるようになっている。
【００１０】
図１のＱ部はカバー２２が閉じた状態、図１のＲ部はカバー２２が開放して、点検できる状態を示している。そして、当て板３はボルト２４を緩めることにより、上下方向（遮煙部材１の方向）に移動させて調整できるように工夫されている。
【００１１】
このような遮煙部材１は中空以外のどのような形状の部材であってもよく、実施例に限定されることはない。
【産業上の利用可能性】
【００１２】
以上の説明では、エレベータの乗場扉を例に挙げて述べているが、かご側の扉であっても本発明を実施することができ、さらにエレベータの扉に限らず、建物の扉全般に適用することができるものである。
【図面の簡単な説明】
【００１３】
【図１】本発明に係る乗場扉の部分正面図である。
【図２】図１のＡ−Ａ線矢視図である。
【図３】図１のＰ部拡大図である。
【図４】図２のＢ−Ｂ線矢視図である。
【図５】本発明に係る部材の取付状態を示す斜視図である。
【図６】遮煙部材を備えた扉の一例を示す正面図である。
【図７】図５のＡ−Ａ線矢視図である。
【符号の説明】
【００１４】
１ 遮煙部材
２，２０ 支持部材
３ 当て板
１０ 扉
２０ａ タップ穴
２１ 点検用の穴
２２ カバー
【図１】
2005105578.tif 000003
【図２】
2005105578.tif 000004
【図３】
2005105578.tif 000005
【図４】
2005105578.tif 000006
【図５】
2005105578.tif 000007
【図６】
2005105578.tif 000008
【図７】
2005105578.tif 000009